(57)【特許請求の範囲】
【請求項１】
基端側が相互に回転自在に結合され中間部の把持部の把持操作で先端側が挟持動作を行う挟持アームと、
前記挟持アームの先端側に対向配置され前記挟持動作で毛髪を加温しながら挟持矯正するための矯正体とを備えたヘアーアイロンにおいて、
前記矯正体は、相互に対向する矯正面を有する熱板を備え、
前記熱板の毛髪挿通方向端縁の少なくとも一方に、該熱板の厚み方向に湾曲したカール形成曲面を設け、
前記挟持アーム先端側の毛髪挿通方向端縁の少なくとも一方に曲面を設け、
前記熱板の背面を、前記挟持アーム先端側の曲面に対向させたことを特徴とするヘアーアイロン。
【請求項２】
請求項１記載のヘアーアイロンであって、
前記カール形成曲面を、熱板の毛髪挿通方向端縁の双方に設け、
前記曲面を、前記挟持アーム先端側の毛髪挿通方向端縁の双方に設け、
前記熱板の背面の何れか一方を、前記挟持アーム先端側の曲面に対向させて、前記両カール形成曲面に対する前記毛髪の巻き付き程度を変えたことを特徴とするヘアーアイロン。
【請求項３】
請求項１又は２記載のヘアーアイロンであって、
前記矯正体の少なくとも一方を、他方側に対し進退可能となるように前記挟持アームに支持し、
前記挟持アームに、前記矯正体を付勢して矯正体相互による挟持状態を弾性的に調節する付勢手段を設け、
前記挟持アームの先端側に、前記曲面に連続する平面を設け、
前記矯正体の退避時に前記カール形成曲面に巻き付いた毛髪が該カール形成曲面から直線的に延びて前記曲面又は前記平面に接するようにしたことを特徴とするヘアーアイロン。
【請求項４】
請求項１〜３の何れかに記載のヘアーアイロンであって、
前記平面は、前記矯正面に直交しており、当該平面と前記カール形成曲面とは、毛髪挿通方向での間隔が近接していることを特徴とするヘアーアイロン。
【発明の詳細な説明】
【０００１】
【発明の属する技術分野】
本発明は、毛髪にストレートパーマ又はパーマネントウェーブをかけるため等に供するヘアーアイロンに関する。
【０００２】
【従来の技術】
従来のヘアーアイロンとしては、例えば図１０に示すようなものがある（特開２０００−１６６６３４参照）。図１０（ａ）はヘアーアイロンの全体構成図、図１０（ｂ）は内部を示す断面図である。
【０００３】
この図１０のように、従来のヘアーアイロン２０１は、アイロン本体２０３に電源コード２０５が接続され、この電源コード２０５の中間部に温度制御装置が接続され、端部に電源プラグが取り付けられたものである。
【０００４】
前記アイロン本体２０３は、一対の樹脂製の挟持アーム２０７，２０９を備えている。この挟持アーム２０７，２０９は基端側２１１，２１３が相互に回転自在に結合され、先端側２１５，２１７に矯正体２１９，２２１が対向配置されている。
【０００５】
そして、電源プラグをコンセントに差し込み、温度制御装置によって矯正体２１９，２２１を発熱させ、該矯正体２１９，２２１の挟持動作により毛髪を挟みつつ該毛髪に対して滑らせ、矯正体２１９，２２１の発熱による加温作用を加えることにより毛髪を挟持矯正する。
【０００６】
従って、このようなヘアーアイロンを用いることによって生まれながらの癖毛を伸ばしたり人工的なパーマネントウェーブを直したりすることができる。
【０００７】
【発明が解決しようとする課題】
ところで、上記のような従来のヘアーアイロン２０１は、癖毛伸ばし等を行うためのものであり、カールの癖付けによるパーマネントウェーブ等をかけることまでは考慮されていなかった。このため、従来のヘアーアイロン２０１によってカールの癖付けを行うには無理があった。
【０００８】
すなわち、従来のヘアーアイロン２０１によりカールの癖付けを行おうとして図１０（ｂ）のように毛髪２２３を矯正体２１９（２２１）から狭持アーム２０７にかけて巻き付けても、矯正体２１９（２２１）に対する毛髪２２３の巻き付きが十分に行われない状態となっていた。このため、カールの癖付けに際しては加温によって癖付けを行う矯正対２１９（２２１）を十分に活用することができず、カールの癖付けが結果的にできなかった。
【０００９】
また、前記矯正対２１９から直線的に延びた毛髪２２３は、前記狭持アーム２０７の角部２２５に掛かることになる。このため、狭持アーム２０７への巻き付けによって毛髪２２３に張力Ｔを与え、毛髪２２３を矯正体２１９に押し付けようとするとき、角部２２５が障害となって張力Ｔが矯正体２１９側まで旨く伝わらないという問題があった。従って、毛髪２２３の矯正体２１９に対する押しつけが不十分となり、かかる点からも十分なカールの癖付けができなかった。
【００１０】
本発明は、カールの癖付けを十分に行うことのできるヘアーアイロンの提供を課題とする。
【００１１】
【課題を解決するための手段】
請求項１の発明は、基端側が相互に回転自在に結合され中間部の把持部の把持操作で先端側が挟持動作を行う挟持アームと、前記挟持アームの先端側に対向配置され前記挟持動作で毛髪を加温しながら挟持矯正するための矯正体とを備えたヘアーアイロンにおいて、前記矯正体は、相互に対向する矯正面を有する熱板を備え、前記熱板の毛髪挿通方向端縁の少なくとも一方に、該熱板の厚み方向に湾曲したカール形成曲面を設け、前記挟持アーム先端側の毛髪挿通方向端縁の少なくとも一方に曲面を設け、前記熱板の背面を、前記挟持アーム先端側の曲面に対向させたことを特徴とする。
【００１２】
請求項２の発明は、請求項１記載のヘアーアイロンであって、前記カール形成曲面を、熱板の毛髪挿通方向端縁の双方に設け、前記曲面を、前記挟持アーム先端側の毛髪挿通方向端縁の双方に設け、前記熱板の背面の何れか一方を、前記挟持アーム先端側の曲面に対向させて、前記両カール形成曲面に対する前記毛髪の巻き付き程度を変えたことを特徴とする。
【００１３】
請求項３の発明は、請求項１又は２記載のヘアーアイロンであって、前記矯正体の少なくとも一方を、他方側に対し進退可能となるように前記挟持アームに支持し、前記挟持アームに、前記矯正体を付勢して矯正体相互による挟持状態を弾性的に調節する付勢手段を設け、前記挟持アームの先端側に、前記曲面に連続する平面を設け、前記矯正体の退避時に前記カール形成曲面に巻き付いた毛髪が該カール形成曲面から直線的に延びて前記曲面又は前記平面に接するようにしたことを特徴とする。
【００１５】
請求項４の発明は、請求項１〜３の何れかに記載のヘアーアイロンであって、前記平面は、前記矯正面に直交しており、当該平面と前記カール形成曲面とは、毛髪挿通方向での間隔が近接していることを特徴とする。
【００１６】
【発明の効果】
請求項１の発明では、挟持アームの中間部の把持部を把持して操作すると、基端側が相互に回転し、先端側が挟持動作を行う。この挟持動作によって挟持アームの先端側に対向配置された矯正体により毛髪を挟持矯正することができる。
【００１７】
そして、前記矯正体は、相互に対向する矯正面を有する熱板を備え、前記熱板の毛髪挿通方向端縁の少なくとも一方に、該熱板の厚み方向に湾曲したカール形成曲面を設け、前記挟持アーム先端側の毛髪挿通方向端縁の少なくとも一方に曲面を設け、前記熱板の背面を、前記挟持アーム先端側の曲面に対向させたため、カールの癖付けを行うときは毛髪がカール形成曲面に十分に接することにより、十分なカールの癖付けを行うことができる。
【００１８】
しかも、挟持アームへの巻き付けによって毛髪に張力を与え、毛髪をカール形成曲面に押し付けようとするとき、毛髪を挟持アーム側の曲面等で容易に滑らせることができる。従って、巻き付けによって毛髪に与えた張力をカール形成曲面への押し付けに有効に利用することができ、十分なカールの癖付けを行うことができる。
【００１９】
請求項２の発明では、請求項１の発明と同様な効果に加え、前記カール形成曲面を、熱板の毛髪挿通方向端縁の双方に設け、前記曲面を、前記挟持アーム先端側の毛髪挿通方向端縁の双方に設け、前記熱板の背面の何れか一方を、前記挟持アーム先端側の曲面に対向させて、前記両カール形成曲面に対する前記毛髪の巻き付き程度を変えたため、バリエーションの異なったカールの癖付けを容易に行うことができる。
【００２０】
請求項３の発明では、請求項１又は２の発明の効果に加え、前記矯正体の少なくとも一方を、他方側に対し進退可能となるように前記挟持アームに支持し、前記挟持アームに、前記矯正体を付勢して矯正体相互による挟持状態を弾性的に調節する付勢手段を設け、前記挟持アームの先端側に、前記曲面に連続する平面を設け、前記矯正体の退避時に前記カール形成曲面に巻き付いた毛髪が該カール形成曲面から直線的に延びて前記曲面又は前記平面に接するようにしたため、対向配置され進退可能な矯正体によって毛髪を的確に挟持矯正し、カールの癖付けも的確に行うことができる。
【００２２】
請求項４の発明では、請求項１〜３のいずれかの発明の効果に加え、前記平面は、前記矯正面に直交しており、当該平面と前記カール形成曲面とは、毛髪挿通方向での間隔が近接しているため、巻き付けによって毛髪に与えられた張力を前記曲面又は前記平面を滑らせることでカール形成曲面への押しつけ力としてストレートに利用することができ、カールの癖付けをより確実且つ容易に行わせることができる。
【００２３】
【発明の実施の形態】
図１〜図５は本発明の一実施形態に係るヘアーアイロンを示し、図１は一部を省略した全体斜視図、図２は分割部分を外した状態で一部を断面にした平面図、図３は側面図、図４は平面図、図５は挟持アームを開いた状態の底面図である。
【００２４】
これら図１〜図５のように、ヘアーアイロン１は、電源コード３が接続されたアイロン本体５を備えている。なお電源コード３には、例えば温度制御装置、電源プラグ等が備えられている。
【００２５】
前記アイロン本体５は、一対の挟持アーム７，９と、一対の矯正体１１，１３を備えている。前記挟持アーム７，９は、例えば線膨張係数8.8×１０−５ｃｍ／ｃｍ／℃のシーポリエステル系エンジニアリングプラスチック等の樹脂製であり、基端側１５，１７が回転軸１９によって相互に回転自在に結合されている。各挟持アーム７，９の中間部には、把持部２１，２３が設けられている。この把持部２１，２３は把持しやすいように図２，図４，図５のように比較的太く形成され、基端側１５，１７とほぼ同一の太さとなっている。
【００２６】
前記把持部２１，２３には、その先端側に傾斜面で形成された力点部２５，２７が設けられている。この力点部２５，２７は、把持部２１，２３を把持したとき親指や人差し指を当てて力を加えるようにするものである。前記力点部２５，２７は、図３の側面から見ると前記把持部２１，２３全体よりも若干肥大して形成され、親指や人差し指を当てやすいようになっている。
【００２７】
前記挟持アーム７，９の先端側２９，３１は、図２，図４，図５のように、把持部２１，２３よりも相互の合わせ方向へ細く形成されている。また前記先端側２９，３１は、図３のように把持部２１，２３よりも細く形成され、把持部２１，２３に対し一側へ位置ずれして設定されている。従って、先端側２９，３１の一面３３は、把持部２１，２３の一面３５よりも一側へ突出し、両面３３，３５は傾斜面３７で段差的に連続設定されている。前記先端側２９，３１の他面３９は、前記一面３３に合わせて一側へずれて形成され、前記把持部２１，２３の中央側へ入り込んでいる。
【００２８】
かかる挟持アーム７は、中空状に形成されており、図３のように分割線４１によりそれぞれ分割部分４３ａ，４５ａ、分割部分４３ｂ，４５ｂの合わせ構造となっている。これら分割部分４３ａ，４５ａ、分割部分４３ｂ，４５ｂは、先端側２９，３１、把持部２１，２３、基端側１５，１７において締結具である例えばビス４８，４９，５１によって相互に締結結合されている。前記分割部分４３ａ，４３ｂには、先端側２９，３１において締結用の孔４７が貫通形成されている。
【００２９】
前記中空の把持部２１，２３内には、複数の補強リブ５３が設けられている。前記一方の挟持アーム７には、両アーム７，９の対向側に凸部５５が設けられ、他方の挟持アーム９には前記凸部５５が嵌合する凹部５７が設けられている。前記凸部５５は、前記凹部５７の底面に突き当たってストッパの機能を奏するようになっている。
【００３０】
こうして、前記挟持アーム７は、基端側１５，１７が相互に回転自在に結合され、中間部の把持部２１，２３の操作で先端側２９，３１が挟持動作を行う構成となっている。
【００３１】
前記挟持アーム７，９の先端側２９，３１の断面は、図３のＳＡ−ＳＡ矢視の拡大断面で示す図６のようになっている。また図７は、先端側２９，３１において分割部分４３ａ，４３ｂを取り外し、矯正体１１，１３を断面にして示した要部拡大平面図である。なお、以下の説明では挟持アーム７，９の先端側２９，３１が対称形状となっているため先端側２９を主に説明し、他方の先端側３１は先端側２９の説明を参照する。
【００３２】
前記先端側２９は、図６，図７のように内部に芯材８３を収容する平坦な縦壁面５９，６１及び平坦な底壁面６３を備えている。なお、先端側３１には対称形状の芯材８５が収容されるように、前記平坦な縦壁面５９，６１及び平坦な底壁面６３と同様な面が形成されている。また先端側２９には、前記矯正体１１を他方側に対し進退自在となるように可動支持する矯正体支持穴６５が設けられている。この矯正体支持穴６５に、前記矯正体１１が可動支持されている。
【００３３】
従って、前記矯正体１１，１３は、前記挟持アーム７，９の先端側２９，３１に対向配置され、前記挟持アーム７，９の挟持動作で毛髪を加温しながら挟持矯正する構成となっている。
【００３４】
前記矯正体１１は、熱板６７と、セラミックヒータ６９と、マグネットプレート７１と、第１ばね７３と、第２ばね７５とからなっている。
【００３５】
前記熱板６７は、アルミ等の軽量で熱伝導率の高い材料により対向側から見て矩形板状に形成され、表面がフッ素コーティングされている。前記熱板６７の背後には、収容部７７が一体に設けられ、前記矯正体支持穴６５に対し可動支持され、他方側である矯正体１３に対し進退自在となっている。このような進退自在な支持は、矯正体１３においても同様である。
【００３６】
前記収容部７７の上下壁には、係合片部７９，８１が設けられ、前記熱板６７の一定以上の突出移動を規制するようになっている。前記セラミックヒータ６９、マグネットプレート７１、第１ばね７３は、前記収容部７７内に収容されている。
【００３７】
前記セラミックヒータ６９は、矩形板状を呈し、最高温度約１８０°まで発熱し、前記熱板６７に熱伝導を行うもので、前記電源コード３側に電気的に接続されている。
【００３８】
前記マグネットプレート７１は、１５０００ガウスのネオジウム磁石等により矩形板状に形成され、両矯正体１１，１３相互でＳ極又はＮ極が対峙するように配置されている。
【００３９】
前記第１ばね７３は、板ばねで形成され、前記マグネットプレート７１を収容部７７内で熱板６７背面方向に付勢しセラミックヒータ６９を熱板６７の背面に密着させると共に、マグネットプレート７１を安定支持している。
【００４０】
前記第２ばね７５は、前記収容部７７の後端に支持され、この第２ばね７５は、前記矯正体１１，１３を付勢して矯正体１１，１３相互による挟持状態を弾性的に調節する付勢手段を構成している。前記第２ばね７５は、板ばねで形成され、両端部７５ａ，７５ｂが傾斜設定され、端縁が前記分割部分４３ａ側の突起部に図７左右方向（長手方向）で係合している。
【００４１】
ここで、前記矯正体１１，１３と前記挟持アーム７，９との関係を図８を用いてさらに説明する。この図８は熱板退避状態でのカール形成曲面と挟持アームの巻付面との関係を示す要部拡大断面図である。なお、図８では矯正体１１と挟持アーム７との関係において主に説明し、矯正体１３と挟持アーム９との関係は矯正体１１と挟持アーム７との関係での説明を参照する。
【００４２】
前記矯正体１１の熱板６７には、平坦な矯正面８７が設けられている。但し、この矯正面８７は、平坦なものに限らず、湾曲面、Ｓ曲面など種々設定することができる。なお、前記矯正体１３にも、前記矯正面８７と同様な矯正面が形成されており、相互に対向している。
【００４３】
前記熱板６７には、その毛髪挿通方向端縁（図８の上下方向端縁）の双方に、該熱板６７の厚み方向に湾曲したカール形成曲面８９、９１が設けられている。カール形成曲面８９，９１は、熱板６７の厚み方向の全体に渡って形成され、１／４円弧を呈している。
【００４４】
前記挟持アーム７先端側２９の毛髪挿通方向端縁の双方に、毛髪を巻き付ける曲面又は平面の巻付面として前記両面３３，３９が各別に設けられている。前記カール形成曲面８９，９１と巻付面３３、３９との関係により両カール形成曲面８９，９１に対する毛髪の巻き付き程度を変え、バリエーションの異なったカールの癖付けを容易に行うようにしている。
【００４５】
前記巻付面３３，３９は、前記熱板６７の背面から前記カール形成曲面８９，９１と同方向へ湾曲した曲面９９，９７を有している。曲面９７は、曲面９９よりも大きな半径の円弧で形成されている。
【００４６】
前記巻付面３９は、前記曲面９７に連続して平面１０１を有している。この平面１０１は、前記矯正面８７と直行するように形成されている。前記巻付面３３の平面１０１と前記カール形成曲面８９とは、毛髪挿通方向での突出位置が近接している。前記巻付面３３は、前記矯正面８７に対する反対側に前記平面１０１に連続する巻取曲面１０３を備えている。
【００４７】
前記巻付面３９は、前記曲面９９に連続してさらに大きな曲率半径の曲面として巻取ガイド面１０５を有している。
【００４８】
前記矯正体１１は、前記のように進退可能となるように支持され、第２ばね７５により付勢されているため、図８の矯正体１１の退避時に前記何れかのカール形成曲面８９，９１に巻き付いた毛髪が該カール形成曲面８９，９１から直線的に延びて前記対応する巻付面３９，３３の曲面９７，９９に接するようになっている。巻付面３９側では、前記直線的に延びた毛髪が平面１０１にそのまま接するように設定することもできる。
【００４９】
また上記構成により、前記熱板８７の毛髪挿通方向端縁の少なくとも一方に、該熱板８７の厚み方向に湾曲したカール形成曲面８９を設け、前記挟持アーム７先端側２９の毛髪挿通方向端縁の少なくとも一方に、前記毛髪を巻き付ける曲面９７又は平面を有する巻付面３９を設け、前記カール形成曲面８９に巻き付いた毛髪が該カール形成曲面８９から直線的に延びて前記巻付面３９の曲面９７又は平面に接する構成となっている。
【００５０】
さらに、前記矯正体１１の図８の退避時に前記カール形成曲面８９に巻き付いた毛髪が該カール形成曲面８９から直線的に延びて前記巻付面３９の曲面９７又は平面に接する構成となっている。
【００５１】
次に、前記ヘアーアイロン１を用いて癖毛を伸ばしたり人工的なパーマネントウェーブを直す場合について説明する。
【００５２】
まず、前記ヘアーアイロン１の使用時には、まず毛髪に第一剤、すなわちチオグリコール酸やシステイン等のメルカプト化合物（還元剤）を主剤とする水溶液にアンモニア、モノエタノールアミン、トリエタノールアミン等の塩基性物質を加えてｐＨ６〜１０に調整した液剤を塗布する。この塗布により、毛髪中のケラチン蛋白質に含まれているシスチンのジスルフィド結合が還元されてメルカプト基として切断され、その後、毛髪を水洗し、順次ドライヤ等で乾燥させた後、１４０〜１８０℃に加熱したヘアーアイロン１によりこの髪を直毛に整える。
【００５３】
具体的には、挟持アーム７，９の把持部２１，２３を把持し、力点部２５，２７に親指と人差し指を当てるなどして力を加え、矯正体１１，１３の熱板６７間で毛髪を挟み込む。その後、その状態を維持して挟持アーム７，９を毛先へと滑らせる。これにより、セラミックヒータ６９により熱せられた熱板６７間で挟まれた毛髪が加熱されながら伸ばされる。
【００５４】
このとき毛髪はＳ極を対峙させたマグネットプレート７１間を所定の速度で移動するため、フレミングの右手の法則により還元エネルギが発生する。このエネルギは磁極の電子が右回転するマグネットプレート７１のＳ極から発生し、第一液の還元作用を促進させることになる。しかも、毛髪の表層部を形成するキューティクルを閉じる働きもする。キューティクルが閉じると、紫外線が毛髪の内部に入り込もうとするのを遮断し、毛髪が紫外線により損傷するのを防ぐことができる。
【００５５】
またこの還元のエネルギにより、第一液の水のクラスタが小さくなる。このクラスタが小さくなることで、第一液の毛髪への浸透性が高まる。よって、さらに第一液の還元作用が促進される。その結果、毛髪が損傷する恐れを伴う施術時間を短くすることができ、毛髪の傷みも抑制することができる。
【００５６】
なお、その後頭髪に臭素酸ナトリウム、過酸化水素等の酸化剤の水溶液からなる第二液を塗布し、この結果、メルカプト基を酸化して毛髪に新たなジスルフィド結合を生成させ、この直毛状態を固定化することができる。
【００５７】
次に、ヘアーアイロン１によってパーマネントウェーブをかける場合について説明する。
【００５８】
前記矯正体１１，１３による毛髪の狭持動作は前記と同様である。そして、パーマネントウェーブをかける場は、カール形成曲面８９又は９１に毛髪を押し付ける。従って、前記矯正体１１，１３により毛髪を狭持したままアイロン本体５を回転させ、先端側２９又は３１へ毛髪を巻き付ける。
【００５９】
これにより、例えば熱板６７の一方のカール矯正曲面８９に毛髪が巻き付けられると、毛髪は図８で示すカール形成曲面８９の始点Ｐから巻き付きが開始され、カール形成曲面８９の終点Ｑまで巻き付く状態となる。
【００６０】
前記カール形成曲面８９の終点Ｑから毛髪は直線的に延び、巻付面３９の曲面９７の平面１０１側の点Ｒで接する。点Ｒで巻付面３９に接した毛髪は平面１０１、巻取曲面１０３へと順次巻き付く。
【００６１】
従って、カールの癖付けを行うときは毛髪がカール形成曲面８９に十分に接することにより、十分なカールの癖付けを行うことができる。しかも、狭持アーム７への巻き付けによって毛髪に張力を与え、毛髪をカール形成曲面８９に押し付けようとするとき、毛髪を狭持アーム７側の巻付面３９の曲面９７及び平面１０１で容易に滑らせることができる。従って、巻き付けによって毛髪に与えた張力をカール形成曲面８９への押し付けに有効に利用することができ、十分なカールの癖付けを行うことができる。
【００６２】
前記平面１０１は、前記矯正面８７に直交し、この平面１０１と前記カール形成曲面８９とは、毛髪挿通方向での突出位置が近接しているため、巻き付けによって毛髪に与えられた張力を巻付面３９の平面１０１をより円滑に滑らせることでカール形成曲面８９への押しつけ力としてストレートに利用することができ、カールの癖付けをより確実且つ容易に行わせることができる。
【００６３】
前記毛髪のカール形成曲面８９への押しつけ力は、巻取曲面１０３へ巻き取ることで発生させることができ、平面１０１が長く巻取曲面１０３とカール形成曲面８９との間隔を大きくしているため、狭持アーム７の回転により毛髪にカール形成曲面８９に対する比較的大きな押し付け力を与えることができ、かかる点からもカールの癖付けをより確実且つ容易に行わせることができる。
【００６４】
次に、熱板６７の他方のカール矯正曲面９１に毛髪が巻き付けられると、毛髪は図８で示すカール形成曲面９１の始点Ｐ１から巻き付きが開始され、カール形成曲面９１の中間点Ｑ１まで巻き付く状態となる。
【００６５】
前記カール形成曲面９１の中間点Ｑ１から毛髪は直線的に延び、巻付面３３の曲面９９の点Ｒ１で接する。点Ｒ１で巻付面３３の曲面９９に接した毛髪は巻取ガイド面１０５へと順次巻き付く。
【００６６】
従って、カール形成曲面９１によってカールの癖付けを行うときは毛髪がカール形成曲面９１の湾曲の中間点まで接することにより、カール形成曲８９でのカールよりも緩いカールの癖付けを行うことができる。すなわち、前記両カール形成曲面８９，９１に対する前記毛髪の巻き付き程度を変えたため、バリエーションの異なったカールの癖付けを容易に行うことができる。
【００６７】
しかも、狭持アーム７への巻き付けによって毛髪に張力を与え、毛髪をカール形成曲面９１に押し付けようとするとき、毛髪を狭持アーム７側の巻付面３３の曲面９９及び巻取ガイド面１０５で容易に滑らせることができる。従って、巻き付けによって毛髪に与えた張力をカール形成曲面９１への押し付けに有効に利用することができ、カールの癖付けを確実に行うことができる。
【００６８】
さらに本実施形態では、熱板６７のカール形成曲面８９，９１が狭持アーム７，９の毛髪挿通方向端縁である巻付面３３，３９よりも突出はしていないので、施術持に熱板６７が被施術者等に触れるのを抑制することができる。
【００６９】
但し、熱板６７を、狭持アーム７，９の毛髪挿通方向端縁である巻付面３３，３９よりも突出させる構成にすることもできる。図９は、変形例の実施形態に係り、熱板退避状態でのカール形成曲面と挟持アームの巻付面との関係を示す要部拡大断面図である。なお、基本的な構成は上記実施形態と同様であり、対応する構成部分には同符号を付して説明する。
【００７０】
図９のように、熱板６７Ａには、その毛髪挿通方向端縁（図９の上下方向端縁）の一方又は双方に、該熱板６７Ａの厚み方向に湾曲したカール形成曲面１０７が設けられている。このカール形成曲面１０７は、狭持アーム７Ａの毛髪挿通方向端縁よりも突出している。このカール形成曲面１０７は、熱板６７Ａの厚み方向の全体に渡って形成され、１／２円弧を呈している。
【００７１】
前記カール形成曲面１０７に対応して挟持アーム７Ａ先端側２９Ａの毛髪挿通方向端縁に、毛髪を巻き付ける曲面又は平面の巻付面として面３３Ａが設けられている。
【００７２】
前記巻付面３３Ａは、前記カール形成曲面１０７と同方向へ湾曲した曲面９９Ａを有している。前記巻付面３３Ａは、前記曲面９９Ａに連続して平面１０９を有している。この平面１０９は、前記矯正面８７に対し鋭角に設定されている。前記巻付面３３Ａは、前記矯正面８７に対する反対側に前記平面１０９に連続する巻取曲面を備えている。
【００７３】
前記熱板６７Ａのカール形成曲面１０７に毛髪が巻き付けられると、毛髪は図９で示すカール形成曲面１０７の始点Ｐ２から巻き付きが開始され、カール形成曲面１０７の他側の点Ｑ２まで巻き付く状態となる。
【００７４】
前記カール形成曲面１０７の点Ｑ２から毛髪は直線的に延び、巻付面３３Ａの平面１０９上の点Ｒ２で接する。点Ｒ２で巻付面３３Ａに接した毛髪は平面１０９へと順次巻き付く。
【００７５】
従って、カール形成曲面１０７によってカールの癖付けを行うときは毛髪がカール形成曲面１０７の１／４円弧以上に接することができ、前記カール形成曲面８９、９１でのカールよりもさらに急峻なカールの癖付けを行うことができる。また、前記両カール形成曲面８９，９１と組み合わせることにより、バリエーションの異なったカールの癖付けを容易に行うことができる。
【００７６】
しかも、狭持アーム７Ａへの巻き付けによって毛髪に張力を与え、毛髪をカール形成曲面１０７に押し付けようとするとき、毛髪を狭持アーム７Ａ側の巻付面３３Ａの平面１０９で容易に滑らせることができる。従って、巻き付けによって毛髪に与えた張力をカール形成曲面１０７への押し付けに有効に利用することができ、カールの癖付けを確実に行うことができる。
【００７７】
なお、本発明は上記実施形態に限定されるものではない。例えば、矯正体１１，１３の一方又は双方を、先端側２９，３１に対し移動できない固定式にすることも可能である。マグネットプレート７１、第１ばね７３等は省略することも可能である。
【図面の簡単な説明】
【図１】本発明の一実施形態に係るヘアーアイロンの斜視図である。
【図２】一実施形態に係り、分割部分を外した状態の平面図である。
【図３】一実施形態に係り、側面図である。
【図４】一実施形態に係る平面図である。
【図５】一実施形態に係り、挟持アームを開いた状態の底面図である。
【図６】一実施形態に係り、図３のＳＡ−ＳＡ矢視拡大断面図である。
【図７】一実施形態に係り、分割部分を外した状態の先端側の要部拡大平面図である。
【図８】一実施形態に係り、熱板退避状態でのカール形成曲面と挟持アームの巻付面との関係を示す要部拡大断面図である。
【図９】変形例の実施形態に係り、熱板退避状態でのカール形成曲面と挟持アームの巻付面との関係を示す要部拡大断面図である。
【図１０】従来例に係り、（ａ）はヘアーアイロンの全体構成図、（ｂ）は内部を示す断面図である。
【符号の説明】
１  ヘアーアイロン
７，９  挟持アーム
１１，１３  矯正体
１５，１７  基端側
２１，２３  把持部
２９，３１  先端側
６７，６７Ａ  熱板
７５  第２ばね（付勢手段）
８７  矯正面
８９，９１，１０７  カール形成曲面
３３，３９，３３Ａ  巻付面
９７，９９  曲面
１０１，１０９  平面
１０３  巻取曲面
１０５  巻取ガイド面（曲面）
【図１】
0004163427.tif 000002
【図２】
0004163427.tif 000003
【図３】
0004163427.tif 000004
【図４】
0004163427.tif 000005
【図５】
0004163427.tif 000006
【図６】
0004163427.tif 000007
【図７】
0004163427.tif 000008
【図８】
0004163427.tif 000009
【図９】
0004163427.tif 000010
【図１０】
0004163427.tif 000011